(57)【要約】【課題】充填剤を使用する場合は、作業現場において樹脂などを充填するので手間がかかり、充填材で接続部品および作業現場を汚す。また、ロックナットを使用する場合は、使用中、張力によってロックナットが緩む恐れがあり、接続の確実性を維持することに課題があった。【解決手段】カプラーに螺合する一対のねじ鉄筋を、その接続端部にくい込みプレートを配設した状態でカプラーにねじ込み、くい込みプレートをねじ鉄筋のねじ山とカプラーのねじ山との間にくい込ませて、一対のねじ鉄筋をカプラーを介して強固に締結するものである。【選択図】図２
2008075416.tif 000002
【特許請求の範囲】
【請求項１】
少なくとも接続すべき端部外面にねじが形成された一対のねじ鉄筋と、これら一対のねじ鉄筋のねじを螺合するねじが内部に形成されたカプラーとを有するねじ鉄筋の接続方法において、前記ねじ鉄筋を、端部にくい込みプレートを配設した状態で前記カプラーにねじ込み、前記くい込みプレートを前記ねじ鉄筋のねじ山とカプラーのねじ山との間にくい込ませたことを特徴とするねじ鉄筋の接続方法。
【請求項２】
前記ねじ鉄筋は端部の両側に平面部を有し、このねじ鉄筋の先端ではくい込みプレートを平面部に合致させ後方に至るに従ってねじを覆うように傾けて配設したことを特徴とする請求項１記載のねじ鉄筋の接続方法。
【請求項３】
前記くい込みプレートは金属プレートであることを特徴とする請求項１または請求項２記載のねじ鉄筋の接続方法。
【請求項４】
前記カプラーに螺合するねじ鉄筋のねじ部にフッ素系合成樹脂を固着したことを特徴とする請求項１〜請求項３のうちのいずれか１項記載のねじ鉄筋の接続方法。
【発明の詳細な説明】
【技術分野】
【０００１】
この発明は、一対のねじ鉄筋をカプラーを介して接続するねじ鉄筋の接続方法に関するものである。
【背景技術】
【０００２】
従来、高層ビルなどに用いられるねじ鉄筋同士を接続するためには、接続すべき一対のねじ鉄筋をカプラー内のねじに螺合させて接続している。
しかし、カプラーは精度が余りよくなくがたつきが生じるので、特許文献１に示されるように、カプラーの周面に穴をあけて、カプラー内に樹脂またはモルタルを充填して、張力がかかってもがたつきが生じないようにしている。
また、特許文献２に示されるように、ねじ鉄筋のそれぞれに螺合されたロックナットをカプラーの両端面に向かって締め付けるものがある。
【０００３】
【特許文献１】特開平１１−１０７４４５号公報（図１参照）
【特許文献２】特開２００４−２３８８６９号公報（図２参照）
【発明の開示】
【発明が解決しようとする課題】
【０００４】
従来のねじ鉄筋の接続方法は上記のように行われているので、特許文献１に示されるものでは、充填材が十分充填されているか否かを外部から確認することができなく、接続の確実性を認識することができない。また、作業現場において樹脂などを充填することは手間がかかり、充填材で接続部品および作業現場を汚す等の課題があった。
また、特許文献２に示されるようにロックナット使用のものでは、使用中、張力によってロックナットが緩む恐れがあり、接続の確実性を維持することに課題があった。
【０００５】
この発明は上記従来の課題を解消するためになされたもので、現場における作業が簡単であり、一対のねじ鉄筋をカプラーによって確実に接続できるねじ鉄筋の接続方法を提供することを目的とする。
【課題を解決するための手段】
【０００６】
この発明に係るねじ鉄筋の接続方法は、少なくとも接続すべき端部外面にねじが形成された一対のねじ鉄筋と、これら一対のねじ鉄筋のねじを螺合するねじが内部に形成されたカプラーとを有するねじ鉄筋の接続方法において、前記ねじ鉄筋を、端部にくい込みプレートを配設した状態で前記カプラーにねじ込み、前記くい込みプレートを前記ねじ鉄筋のねじ山とカプラーのねじ山との間にくい込ませて、一対のねじ鉄筋をカプラーを介して強固に締結したものである。
【発明の効果】
【０００７】
この発明によれば、ねじ鉄筋を、端部にくい込みプレートを配設した状態でカプラーにねじ込むことにより、一対のねじ鉄筋を強固に締結するように構成したので、少ない使用部品数で簡単に接続作業を行うことができる。また、樹脂またはモルタル等の充填材を使用する必要がないので、作業現場において樹脂等を充填する手間もなく、現場における作業が簡単であり、充填材で接続部品および作業現場を汚すこともない。また、ロックナット等を使用していないので、使用中、張力によってロックナットが緩む恐れもなく、接続状態を長期にわたって安定して維持することができる効果がある。
【発明を実施するための最良の形態】
【０００８】
以下、この発明の実施の形態を図１から図５を参照して詳細に説明する。
図１はこの発明の実施の形態によるねじ鉄筋の接続方法を説明するカプラーの縦断面図である。図２はこの発明によるねじ鉄筋の接続工程の説明図である。図３、図４は一部を拡大して示したこの発明によるねじ鉄筋の接続工程の説明図、図５は図２のＡ−Ａ線に沿う横断面図である。
【０００９】
図において、一対のねじ鉄筋１，２を接続するカプラー３は筒状をなし、内部に雌ねじ４が形成されている。一対のねじ鉄筋１，２は全長にわたってカプラー３の雌ねじ４に螺合する雄ねじ５が形成されているとともに、両側面が軸線方向に欠如されて平面６に仕上げられている。ねじ鉄筋１，２の端部、つまりカプラー３に対する螺合部の平面６にくい込みプレート７を配設する。このくい込みプレート７は例えば金属プレートを用いる。なお、カプラーとねじ鉄筋との材質は夫々異なり、カプラーの方が強度が高い。従って、カプラーはねじ鉄筋の強度により相対的に強度を上げなければならない。
【００１０】
次に、ねじ鉄筋の接続作業を説明する。まず、図１に示すように、くい込みプレート７をねじ鉄筋１，２の先端では平面６に合致させて配設させ、後方に至るに従って雄ねじ５を覆うように傾けて配設する。この状態で接続すべき一対のねじ鉄筋１，２をカプラー３に螺合させると、その初期においては、ねじ鉄筋１，２の平面部６と合致させてくい込みプレート７を配設しているため、一対のねじ鉄筋１，２は円滑にカプラー３に螺合する。そして、この螺合が進行するに従い、図5に示すように、くい込みプレート７がねじ鉄筋１，２のねじ山とカプラー３のねじ山との間に順次くい込む。この結果、螺合の進行に伴い、ねじ鉄筋１，２のねじ山とカプラー３のねじ山との間にくい込むくい込みプレート７のくい込み量も増大し、一対のねじ鉄筋１，２はカプラー３、くい込みプレート７を介して強固に一体に接続される。
【００１１】
この接続作業に際し、ねじ鉄筋１，２の雄ねじ５にフッ素系合成樹脂、例えばテフロン（登録商標）をテープのように巻き付けておく。このようにすると、摩擦が低減され、通常の締め付けトルクより大きな締め付け力が得られ、ねじ鉄筋１，２とカプラー３をより強固に一体に緊結できる。また、くい込みプレート７として金属プレートを用いる。この金属プレートはねじ込みやすいように薄板に加工すると、ねじ鉄筋１，２の端部に配設しても、カプラー３に対するねじ込みを阻害することがない。
【００１２】
なお、図面は、全長にわたり雄ねじ５が形成され、両側面を平面に欠如したねじ鉄筋１，２を示したが、このねじ鉄筋１，２は少なくともカプラー３に螺合する端部のみに雄ねじ５を形成しておけばよい。また、ねじ鉄筋１，２は両側面を平面にすることも端部のみであっても良い。
【００１３】
以上のように、この発明によれば、一対のねじ鉄筋を、その接続すべき端部にくい込みプレートを配設した状態でカプラーにねじ込み、このくい込みプレートをねじ鉄筋のねじ山とカプラーのねじ山との間にくい込ませるように構成したので、くい込ませたくい込みプレートでねじ山のクリアランスを埋め、カプラーのねじ山に密着する部分を増大させて、一対のねじ鉄筋をカプラーを介して強固に締結接続することができる。この結果、樹脂またはモルタル等の充填材を使用する必要がないので、作業現場において樹脂等を充填する手間もなく、現場における作業が簡単であり、充填材で接続部品および作業現場を汚すこともない。また、ロックナット等を使用しないので、使用中、張力によってロックナットが緩む恐れもなく、一対のねじ鉄筋の接続状態を長期にわたって安定に維持することができる効果がある。
【図面の簡単な説明】
【００１４】
【図１】図１はこの発明の実施の形態によるねじ鉄筋の接続方法を説明するカプラーの縦断面図である。
【図２】この発明によるねじ鉄筋の接続工程の説明図である。
【図３】一部を拡大して示したこの発明によるねじ鉄筋の接続工程の説明図である。
【図４】一部を拡大して示したこの発明によるねじ鉄筋の接続工程の説明図である。
【図５】カプラーとねじ鉄筋の接続部の端面図である。
【符号の説明】
【００１５】
１，２  一対のねじ鉄筋１，２
３  カプラー
４  雌ねじ
５  雄ねじ
６  平面
７  くい込みプレート
【図１】
2008075416.tif 000003
【図２】
2008075416.tif 000004
【図３】
2008075416.tif 000005
【図４】
2008075416.tif 000006
【図５】
2008075416.tif 000007